(57)【要約】【課題】視聴者の好みや視聴傾向に応じたランキング表を作成することができ、ランキング表を用いて容易に予約録画することができる放送番組録画装置を提供することにある。【解決手段】放送番組録画装置３は、放送局１から提供されるＥＰＧを保持している。視聴者の操作入力を受け、放送番組録画装置３は、入力されたジャンルに該当する番組をＥＰＧから選出する。放送番組録画装置３は、ネットワーク４を介してコンテンツサーバ２にアクセスし、入力されたＵＲＬ配下のコンテンツから番組の検索し、各番組の検索件数を算出する。放送番組録画装置３は、検索件数が算出された番組から、入力された指定日、指定曜日、指定月の何れかに該当する番組を選出して、ランキング表を作成する。この際、視聴者の過去の予約録画情報に基づいて、ランキング表を作成する。放送番組録画装置３は、視聴者がランキング表を用いて選択した番組を予約録画する。【選択図】  図１
2008109332.tif 000002
【特許請求の範囲】
【請求項１】
放送局から提供されたＥＰＧと、
日時と配信チャンネルとから構成される番組情報を記憶する予約番組情報テーブルと、
前記予約番組情報テーブルに番組情報を追加する番組予約手段と、
前記予約番組情報テーブルに基づき、放送局から配信された番組内容を予約録画する予約録画手段と、を備えた放送番組録画装置において、
番組収集手段と、番組ソート手段とを備えたランキング表作成手段を更に備え、
前記番組収集手段は、入力を受け付けたジャンルと前記ＥＰＧに基づき、番組名を取得し、入力を受け付けたＵＲＬ配下から該当する番組名を検索して収集し、
前記番組ソート手段は、過去の予約番組を考慮して、前記番組収集手段により収集した番組名の検索件数を昇順に並べてランキング表を作成し、
前記ランキング表作成手段により作成されたランキング表の番組が選択されると、前記番組予約手段は、選択された番組の番組情報を前記ＥＰＧから取得して前記予約番組情報テーブルに追加する放送番組録画装置。
【請求項２】
放送局から提供されたＥＰＧと、
日時と配信チャンネルとから構成される番組情報を記憶する予約番組情報テーブルと、
前記予約番組情報テーブルに番組情報を追加する番組予約手段と、
前記予約番組情報テーブルに基づき、放送局から配信された番組内容を予約録画する予約録画手段と、を備えた放送番組録画装置において、
自装置によって作成されたランキング表に含まれる番組の入力を受け付けると、前記番組予約手段は、選択された番組の番組情報を前記ＥＰＧから取得して前記予約番組情報テーブルに追加する放送番組録画装置。
【請求項３】
前記ランキング表は、ランキング表作成手段により作成され、
前記ランキング表作成手段は、入力を受け付けたＵＲＬ及び入力を受け付けたジャンルと前記ＥＰＧとに基づいてランキング表を作成する請求項２に記載の放送番組録画装置。
【請求項４】
前記ランキング表作成手段は、
前記入力を受け付けたジャンルと前記ＥＰＧに基づき、番組名を取得し、入力を受け付けたＵＲＬ配下から該当する番組名を検索して収集する番組収集手段と、
該番組収集手段により収集した番組名の検索件数の多い順に並べて前記ランキング表を作成する番組ソート手段と、を備える請求項３の放送番組録画装置。
【請求項５】
前記番組ソート手段は、過去の予約番組を考慮して、ランキング表を作成する請求項４に記載の放送番組録画装置。
【発明の詳細な説明】
【技術分野】
【０００１】
本発明は、番組のランキング結果を用いて、予約録画できる放送番組録画装置に関するものである。
【背景技術】
【０００２】
従来、視聴者は、リアルタイムで視聴できない番組は、番組を予約録画して視聴する。そして、番組を予約録画する放送番組録画装置が各種考案されている。また、視聴者が予約録画する番組を選定する際には、視聴者自身の好み（視聴傾向）や他の視聴者の番組に対する評価等を参考にして選定する。
特許文献１の放送受信装置は、視聴率調査会社のデータに基づき、過去の視聴率と過去の予約情報（過去の視聴予約数＋過去の録画予約数）とを統計的に処理して、番組の予測視聴率を算出している。この予測視聴率に基づき、高視聴率であろうと予測された番組のランキング表を作成している。視聴者は、このランキング表を参照して、視聴する番組や予約録画する番組を指定することができる。
【特許文献１】特開２００２−０１０１５３号公報
【発明の開示】
【発明が解決しようとする課題】
【０００３】
しかしながら、特許文献１の放送受信装置では、視聴率調査会社のデータに基づいて算出された予測視聴率を参照して、視聴する番組や予約録画する番組を指定しているため、万人に好かれる番組を予約録画することはできても、特定の視聴者に好かれる番組を予約録画することができない。また、特許文献１の放送受信装置では、視聴者自身の視聴傾向を考慮して、番組を予約録画することができない。
【０００４】
したがって、この発明の目的は、視聴者自身の視聴傾向を考慮した上で、視聴者に好かれる番組を捜し、予約録画することができる放送番組録画装置を提供することにある。
【課題を解決するための手段】
【０００５】
この発明は、放送局から提供されたＥＰＧと、日時と配信チャンネルとから構成される番組情報を記憶する予約番組情報テーブルと、前記予約番組情報テーブルに番組情報を追加する番組予約手段と、前記予約番組情報テーブルに基づき、放送局から配信された番組内容を予約録画する予約録画手段と、を備えた放送番組録画装置において、自装置によって作成されたランキング表に含まれる番組の入力を受け付けると、前記番組予約手段は、選択された番組の番組情報を前記ＥＰＧから取得して前記予約番組情報テーブルに追加することを特徴とする。
【０００６】
この構成では、作成したランキング表に掲載されている番組を選択するだけで、選択した番組が予約録画される。
これにより、放送番組録画装置は、ランキング表を自動で作成することができる。また、視聴者は、容易に番組を予約録画することができる。
【０００７】
また、この発明は、前記ランキング表は、ランキング表作成手段により作成され、前記ランキング表作成手段は、入力を受け付けたＵＲＬ及び入力を受け付けたジャンルと前記ＥＰＧとに基づいてランキング表を作成することを特徴とする。
【０００８】
この構成では、ランキング表は視聴者が指定したＵＲＬとジャンル、放送番組録画装置が保持するＥＰＧに基づいて作成される。
これにより、放送番組録画装置は、放送局や企業のホームページ等から指定したジャンルに該当する番組を選出し、配信予定の番組のみからなるランキング表を作成することができる。このため、放送局や企業が提供する特定の情報に基づいて、配信予定の番組からなるランキング表を作成することができる。
【０００９】
また、この発明は、前記ランキング表作成手段は、前記入力を受け付けたジャンルと前記ＥＰＧに基づき、番組名を取得し、入力を受け付けたＵＲＬ配下から該当する番組名を検索して収集する番組収集手段と、該番組収集手段により収集した番組名の検索件数の多い順に並べて前記ランキング表を作成する番組ソート手段と、を備えることを特徴とする。
【００１０】
この構成では、ランキング表は視聴者が指定したジャンルとＥＰＧに基づいて、配信予定の番組名を取得する。視聴者が指定したＵＲＬ配下のサイトから、配信予定の番組名を検索し、検索件数の昇順に並べて作成される。
これにより、視聴者が好んで参照するブログや、視聴者が参加しているソーシャルネットワークサイトに掲載されている情報に基づき、ランキングを生成することができる。このため、視聴者の好みに応じた番組から構成されたランキング表を作成することができるので、視聴者は、ランキング表から予約録画したい番組を容易に見つけることができる。
【００１１】
また、この発明は、前記番組ソート手段は、過去の予約番組を考慮して、ランキング表を作成することを特徴とする。
【００１２】
この構成では、ランキング表は、視聴者の過去の視聴傾向を考慮して作成される。
これにより、視聴者の視聴傾向に応じた番組から構成されたランキング表を作成することができるので、視聴者は、ランキング表から予約録画したい番組を確実に見つけることができる。
【発明の効果】
【００１３】
以上のように、この発明によれば、放送番組録画装置は、視聴者の好みや視聴傾向に応じたランキング表を作成することができ、このランキング表を用いて容易に予約録画することができる。
【発明を実施するための最良の形態】
【００１４】
［第１実施形態］
本発明の第１実施形態に係る放送番組録画装置について、図１〜図４を参照して説明する。図１は、放送番組録画装置３を用いて放送局１から配信される映像を予約録画する際の環境を示す図である。図２は、ランキング集計データ情報の内容を示す図である。図３は、予約番組情報の内容を示す図である。図４は、ランキング表の内容を示す図である。
【００１５】
図１において、放送番組録画装置３は、ネットワーク４を介して、コンテンツサーバ２と接続される。また、放送番組録画装置３は、放送局１からの映像内容を受信し表示及び録画する。
以下に、放送局１、コンテンツサーバ２、放送番組録画装置３について説明する。
【００１６】
放送局１は、デジタル放送やアナログ放送を行う放送局である。例えば、地上テレビジョン放送、ＢＳ放送、ＣＳ放送、インターネット放送、ＣＡＴＶ等を放映する放送局である。
なお、第１実施形態では、放送局を１つとしたが、これに限らず、複数の放送局でもよい。
【００１７】
次に、コンテンツサーバ２には、ホームページ、ブログ等を含む複数のサイトや、電子番組表（ＥＰＧ，Ｅｌｅｃｔｒｉｃ  Ｐｒｏｇｒａｍ  Ｇｕｉｄｅ）が格納される。
なお、コンテンツサーバ２は、通常ＷＥＢサーバを示すが、これに限らず、配信される番組の情報が格納されたサーバ等でもよい。
また、ＥＰＧは、放送局１により定期的に提供され、ＥＰＧには、放送局から配信される番組の情報が含まれる。
【００１８】
放送番組録画装置３は、放送局１から配信される映像内容を表示又は録画する装置であり、放送番組録画装置３はネットワーク４を介してコンテンツサーバ２に接続される。例えば、放送番組録画装置３として、パソコンやＤＶＤ装置等があげられる。
映像内容を録画する場合、放送番組録画装置３は、放送局１からの映像内容を受信し、放送番組録画装置３が保持するＤＩＳＫ（ハードディスク等）３４等に映像内容を保存する。
なお、第１実施形態では、映像内容の保存先として、放送番組録画装置３内部にあるＤＩＳＫ３４としたが、外付けの記憶媒体（ＵＳＢメモリ、ＤＶＤ等）でもよい。
【００１９】
次に、放送番組録画装置３の機能構成について説明する。放送番組録画装置３は、操作部３１、番組選択部３２、ＥＰＧ格納部３２１、ＲＡＭ３２２、通信制御部３３、ＤＩＳＫ３４、表示部３５、放音部３６から構成される。
【００２０】
操作部３１は、複数のボタンと表示画面から構成され、放送番組録画装置３の起動及び終了、ランキング収集情報（ランキング集計データの収集先ＵＲＬ、ジャンル、指定日又は指定曜日又は指定月）の指定、予約録画する番組の選択等の操作入力を受け付ける。操作部３１は、操作内容を番組選択部３２へ出力する。
なお、本実施形態では、ランキング集計データの収集先としてＵＲＬを指定しているが、これに限らず、サーバ等を指定し、サーバ内に保持するデータを収集先としてもよい。
【００２１】
番組選択部３２は、ＥＰＧ格納部３２１とＲＡＭ３２２とを保持する。
ＥＰＧ格納部３２１には、複数のＥＰＧが格納される。ＥＰＧは、定期的にネットワーク４を介してコンテンツサーバ２から提供される。なお、第１実施形態では、ＥＰＧをコンテンツサーバ２から提供したが、放送局１から配信する番組と一緒に電波に乗せてＥＰＧを提供してもよい。
ＲＡＭ３２２は、ランキング集計データ情報と予約番組情報とを一時的に格納する記憶領域である。
【００２２】
ランキング集計データは、コンテンツサーバ２内のランキング集計データの収集先として指定されたＵＲＬ（操作部３１から入力されたランキング集計データの収集先ＵＲＬ）に該当するサイト配下から、ジャンルに該当する番組名を取得して、各番組名を検索件数毎に集計したものである。図２に示すように、ランキング集計データ情報は、複数のランキング集計データから構成される。ランキング集計データは、ランキング集計データの収集先ＵＲＬ、ジャンル、ランキング集計データの取得日時と廃棄日時、番組名と番組の検索件数とから構成される。番組名及び番組の検索件数は、検索件数が多い方が上位に並べられて格納される。
また、番組名と番組の検索件数とは、一定の検索件数以上のものについてランキング集計データとして収集してもよいし、検索件数の多い方から１０件等のように特定の件数をランキング集計データとして集計してもよい。更に、ランキング集計データの取得後一定期間が過ぎると、該当するランキング集計データは破棄される。
図３に示すように、予約番組情報は、予約する番組名、番組配信開始日時と終了日時、番組の配信チャンネル等から構成される。
【００２３】
番組選択部３２は、通信制御部３３からＥＰＧが入力されると、ＥＰＧ格納部３２１へＥＰＧを格納する。
また、番組選択部３２は、操作部３１の入力を受け、ランキング収集情報として入力されたランキング集計データの収集先ＵＲＬとジャンルとを通信制御部３３へ出力する。
そして、番組選択部３２は、通信制御部３３からランキング集計データが入力されると、ＲＡＭ３２２にランキング集計データを保存する。番組選択部３２は、ＥＰＧ格納部３２１に格納されたＥＰＧとＲＡＭ３２２に格納されたランキング集計データとに基づいて、ランキング表（図４参照）を生成する。生成したランキング表は、表示部３５へ出力される。また、番組選択部３２は、操作部３１の入力を受け、生成したランキング表から予約録画する番組を選択する。予約録画する番組は、ＲＡＭ３２２に格納された予約番組情報に登録される。
なお、図４に示すように、ランキング表は、順位（検索件数が多い番組を上位とする）、番組名、番組の配信開始日時と終了日時、番組の配信チャンネル、検索件数等から構成される。
【００２４】
通信制御部３３は、番組選択部３２の指示により、放送局１から配信される映像内容を受信して、デジタル信号に変換する。通信制御部３３はデジタル信号に変換した映像内容を表示部３５と放音部３６又はＤＩＳＫ３４へ出力する。なお、通信制御部３３は、ＲＡＭ３２２に格納されている予約番組情報に登録された番組の配信日時になると、放送局１から映像内容の受信を開始し、受信した映像内容をＤＩＳＫ３４へ出力する。
また、通信制御部３３は、ＬＡＮケーブル又は電話線等を利用してネットワーク４に接続されるので、通信制御部３３は、コンテンツサーバ２からネットワーク４を介して、ＥＰＧとランキング集計データ情報とを取得し、デジタル信号に変換して、番組選択部３２へ出力する。
【００２５】
ＤＩＳＫ３４は、ハードディスク等から構成され、通信制御部３３から出力される映像内容を保存する。
表示部３５は、モニター等から構成され、通信制御部３３から出力される映像内容を出力する。
放音部３６は、スピーカ等から構成され、通信制御部３３から出力される映像内容を出力する。
【００２６】
次に、予約録画手順について、図５を参照して説明する。
図５は、予約録画の手順を示すフローチャートである。
説明を簡単化するため、ランキング集計データの収集先ＵＲＬとして「ランキング集計データの収集先ＵＲＬ１」、ジャンルとして「ジャンルＡ」、指定日、指定曜日、指定月として、「指定曜日（金曜日）」を指定した場合について、説明する。
【００２７】
Ｓ１０１にて、放送番組録画装置３は、新たにランキング集計データを収集するかどうかについての入力を視聴者から受け付ける。新たにランキング集計データを生成する場合は、Ｓ１０６進む。
また、既存のランキング集計データを利用する場合は、視聴者により、放送番組録画装置３のＲＡＭ３２２に格納されているランキング集計データ情報にあるランキング集計データの収集先ＵＲＬとジャンルとランキング集計データの取得日時とを参照し、ランキング表の生成に利用するランキング集計データが選択される。次に、放送番組録画装置３は、視聴者による指定日、指定曜日、指定月の何れかの入力を受け付け、Ｓ１１０へ進む。また、選択するランキング集計データが存在しない場合は、ランキング集計データが存在しない旨を視聴者に通知して終了する（Ｓ１０２〜Ｓ１０５）。
ここでは、図２に示す「ランキング集計データの収集先ＵＲＬ１」、「ジャンルＡ」のランキング集計データが選択されたものとし、指定日、指定曜日、指定月として「指定曜日（金曜日）」が入力されたものとする。
【００２８】
Ｓ１０６にて、放送番組録画装置３は、ランキング集計データの収集先ＵＲＬ（「ランキング集計データの収集先ＵＲＬ１」）の入力を受け付け、Ｓ１０７へ進む。
例えば、ランキング集計データの収集先ＵＲＬは、ブログ、ソーシャルネットワークサイト、放送局のサイト、企業のサイト、特定のコミュニティのサイト等のＵＲＬである。
【００２９】
Ｓ１０７にて、放送番組録画装置３は、ジャンル（「ジャンルＡ」）の入力を受け付け、Ｓ１０８へ進む。
例えば、ジャンルとして、映画、ドラマ、お笑い、料理等があげられる。更に、ハッピーエンド、高視聴率、俳優名等のキーワードを入力してもよい。
【００３０】
Ｓ１０８にて、放送番組録画装置３は、視聴者による指定日、指定曜日、指定月（「指定曜日（金曜日）」）の何れかの入力を受け付け、Ｓ１０９へ進む。
【００３１】
Ｓ１０９にて、放送番組録画装置３は、入力されたジャンル（「ジャンルＡ」）に該当する現在の日時から一定期間（例えば１週間，１ヶ月，２ヶ月等）に配信される番組名を選出する。
【００３２】
Ｓ１１０にて、放送番組録画装置３は、ランキング集計データの収集先ＵＲＬ配下のホームページから、Ｓ１０９にて選出した番組名を検索し、ランキング集計データを収集し、Ｓ１１１へ進む。ここでは、図２に示す「ランキング集計データの収集先ＵＲＬ１」、「ジャンルＡ」のランキング集計データが収集される。
【００３３】
Ｓ１１１にて、放送番組録画装置３は、ランキング集計データが収集できたか調べる。ランキング集計データが収集できた場合はＳ１１３へ進む。ランキング集計データが収集できなかった場合は、ランキング集計データの収集に失敗した旨を視聴者に通知する（Ｓ１１２）。
【００３４】
Ｓ１１３にて、放送番組録画装置３は、ＥＰＧから「指定曜日（金曜日）」に配信される番組が収集したランキング集計データ内に存在するかどうか調べる。存在する場合は、Ｓ１１５へ進む。存在しない場合は、ランキング表の生成に失敗した旨を視聴者に通知し終了する（Ｓ１１４）。
【００３５】
Ｓ１１５にて、放送番組録画装置３は、ランキング表を生成し、Ｓ１１６へ進む。
具体的には、放送番組録画装置３は、ＥＰＧを参照して指定曜日（金曜日）に該当する日（９／１，９／２・・・）に配信される番組を抽出する。放送番組録画装置３は、ランキング集計データの番組の中から、抽出した番組に該当する番組を抽出し、ランキング表を生成する。また、ランキング表の生成日から１ヶ月分の番組からランキング表を生成してもよいし、２ヶ月、３ヶ月、１年等分の番組からランキング表を生成してもよい。ここでは、図４に示すランキングが生成されたものとする。
この際、放送番組録画装置３は、過去に予約録画された番組の傾向を考慮してランキング表を生成する。例えば、続けて予約録画しているシリーズもののドラマや映画等は、ランキング表の上位に並べたり、過去に一度も予約録画したことがない番組は、ランキングの下位に並べたりする。
【００３６】
Ｓ１１６にて、放送番組録画装置３は、ランキング表を表示部３５に表示して、Ｓ１１７へ進む。
【００３７】
Ｓ１１７にて、放送番組録画装置３は、視聴者の入力により、ランキング表に掲載された番組から予約録画する番組が選択される。例えば、ランキング表の順位を入力するだけで、番組を選択することができる。番組が選択された場合はＳ１１８へ進む。また、番組が選択されない場合は処理を終了する。
【００３８】
Ｓ１１８にて、放送番組録画装置３は、予約する番組を予約番組情報へ登録する。
以上の処理で番組の予約を完了した。
【００３９】
なお、第１実施形態では、ランキング集計データの収集先ＵＲＬに１つのＵＲＬを指定しているが、これに限らず、複数のＵＲＬを指定してもよい。この場合、放送番組録画装置３は、複数のＵＲＬ配下からランキング集計データを収集する。
【００４０】
更に、視聴者が番組情報を登録するサイトを設け、放送番組録画装置３は、そのサイト配下からランキング集計データを収集し、ランキング表を生成する。放送番組録画装置３は、そのランキング表に基づいて、番組が予約録画されるようにしてもよい。視聴者は、予約録画した番組を視聴した後に、番組情報を登録するサイトにアクセスし、トラックバックするようにしてもよい。
また、放送番組録画装置３は、放送局のサイトや企業のサイトに掲載されているランキング表から、入力されたジャンルに該当する番組を選出してランキング表を作成する。放送番組録画装置３は、このランキング表に基づいて、番組を予約録画されるようにしてもよい。
【００４１】
以上より、第１実施形態に係る放送番組録画装置３は、ブログ、ソーシャルネットワークサイト、放送局のサイト、企業のサイト、特定のコミュニティのサイト配下から、ジャンルやキーワードに該当する番組の検索件数を算出し、それを元に指定した日、曜日、月等の単位でランキング表を生成することができる。視聴者はランキング表を参照して番組の予約録画を行うことができる。これにより、放送番組録画装置３は、視聴者が好んで参照するブログや、視聴者が参加しているソーシャルネットワークサイトに掲載されている情報に基づき、ランキング表を生成することができる。このため、放送番組録画装置３は、視聴者の好みに応じた番組から構成されたランキング表を提供することができる。更に視聴者は、ランキング表を参照して、好みの番組を容易に予約することができる。
また、以前に収集したランキング集計データに基づき、ランキング表を生成することができるので、ランキング表の生成の都度、ネットワーク上のサイトを検索し、ランキング収集データを収集する必要が無い。このため、ランキング表の生成時間を短縮することができる。
【００４２】
［第２実施形態］
本発明の第２実施形態に係る放送番組録画装置３について、図６を参照して説明する。
図６は、予約録画の手順を示すフローチャートである。
本発明の第２実施形態は、第１実施形態とランキング表の生成手順が異なり、放送番組録画装置３内にランキング収集データを保持せず、ランキング表の生成の都度、ネットワーク上のサイトを検索して、データを収集する。
以下に、図６を参照して、ランキング表の生成手順について説明する。
【００４３】
図６のＳ２０４において、放送番組録画装置３は、ＥＰＧを参照して、入力されたジャンル（「ジャンルＡ」）に該当し且つ入力された指定日、指定曜日、指定月に該当して配信される番組名を選出して、Ｓ２０５に進む。
【００４４】
Ｓ２０５放送番組録画装置３は、入力されたランキング表の収集先ＵＲＬ配下のホームページから、Ｓ２０４にて選出した番組名を検索し、ランキング表を生成し、Ｓ２０６へ進む。
この際、放送番組録画装置３により、過去に予約録画された番組の傾向を考慮してランキング表を生成する。
以上で、ランキング表の生成が完了する。
【００４５】
以上より、第２実施形態に係る放送番組録画装置３では、ランキング表の生成時に、入力されたジャンルと指定日、指定曜日、指定月に該当する番組名を選出して、入力されたランキング表の収集先ＵＲＬ配下のホームページを検索する。これにより、選出される番組名を少数に絞ることができるので、ランキングの生成を短時間で行うことができる。更に、ランキング生成の都度、新しい情報（ランキング生成時点でのホームページの情報）に基づいて、ランキングを生成することができる。
【図面の簡単な説明】
【００４６】
【図１】放送番組録画装置３を用いて放送局１から配信される映像を予約録画する際の環境を示す図である。
【図２】ランキング集計データ情報の内容を示す図である。
【図３】予約番組情報の内容を示す図である。
【図４】ランキングの内容を示す図である。
【図５】本発明の第１実施形態に係る予約録画の手順を示すフローチャートである。
【図６】本発明の第２実施形態に係る予約録画の手順を示すフローチャートである。
【符号の説明】
【００４７】
１−放送局，２−コンテンツサーバ，３−放送番組録画装置，４−ネットワーク，３１−操作部，３２−番組選択部，３３−通信制御部，３４−ＤＩＳＫ，３５−表示部，３６−放音部，３２１−ＥＰＧ格納部，３２２−ＲＡＭ
【図１】
2008109332.tif 000003
【図２】
2008109332.tif 000004
【図３】
2008109332.tif 000005
【図４】
2008109332.tif 000006
【図５】
2008109332.tif 000007
【図６】
2008109332.tif 000008